(57)【要約】【課題】軽量気泡コンクリート製等のコーナーパネルを、建築物の躯体に固定して壁体を構成する場合において、コーナーパネルの取付けが容易で、且つ、配置位置の調整精度にも優れるコーナーパネル取付け金具を提供することを目的とする。【解決手段】コーナーパネル取付金具４を、水平プレート部４１と、水平プレート部４１に垂直に立設された立上げプレート部４２と、を備え、立上げプレート部４２は、水平方向において直角に折曲している折曲げ部４２１を有することにより、コーナーパネル１の背面部に嵌合可能な形状となっていることを特徴とするコーナーパネル取付金具４とする。【選択図】図２
2015017364.tif 000002
【特許請求の範囲】
【請求項１】
コーナーパネル取付金具であって、
水平プレート部と、
前記水平プレート部に垂直に立設された立上げプレート部と、を備え、
前記立上げプレート部は、水平方向において直角に折曲する折曲げ部を有するコーナーパネル取付金具。
【請求項２】
前記水平プレート部に軸部材が垂直に立設されている請求項１に記載のコーナーパネル取付金具。
【請求項３】
前記軸部材の先端部分に突起構造が形成されている請求項２に記載のコーナーパネル取付金具。
【請求項４】
請求項１から３のいずれかに記載のコーナーパネル取付金具によって軽量気泡コンクリート製コーナーパネルが躯体に固定されているコーナーパネル取付構造であって、
前記立上げプレート部は、該立上げプレート部に隣接する軽量気泡コンクリートパネルの背面部に固定されている定規アングル材に、固定用鋼材プレートを介して固定されているコーナーパネル取付構造。
【請求項５】
請求項１から３のいずれかに記載のコーナーパネル取付金具を用いて軽量気泡コンクリート製コーナーパネルを建築物の躯体に固定するコーナーパネル取付方法であって、前記立上げプレート部を、前記軽量気泡コンクリート製コーナーパネルに隣接する軽量気泡コンクリートパネルの背面部に固定されている定規アングル材に、固定用鋼材プレートを介して、固定するコーナーパネル取付方法。
【発明の詳細な説明】
【技術分野】
【０００１】
本発明は、建築物の壁体において隅部に配置されるコーナーパネルを、建築物躯体に固定するためのコーナーパネル取付金具、コーナーパネル取付構造、及びコーナーパネル取付方法に関する。
【背景技術】
【０００２】
中低層住宅を含む建築物において、軽量気泡コンクリート（ＡＬＣ）パネル等のプレキャストパネルによって壁体を構成する際、隅部においては、上記プレキャストパネルと同一の材質からなるコーナーパネルを配置して壁体を構成することが一般的に行われている。そして、このコーナーパネルを躯体に固定するための手段として、様々な手段が開示されている。
【０００３】
例えば、特許文献１には、コーナーパネルの長手方向の小口面に穴を穿設し、フランジを有する棒状部材を当該穴に挿入して固定し、躯体と当該フランジとを直接又は間接的に固定することによってコーナーパネルを躯体に取り付けた取付構造が開示されている。
【０００４】
又、特許文献２には、Ｌ型に形成された複数の取付金具を上部のスラブ側及び下部のスラブ側に配置すると共に、配置された取付金具の一方の片を上部のスラブ面又は下部のスラブ面に固定し、且つ、他方の片をコーナーパネルの小口面に固定するコーナーパネルの取付構造が開示されている。
【０００５】
更に、特許文献３には、コーナーパネルの下側面を、定規アングル材の床設置部上に載置させ、コーナーパネルの内側壁面を、定規アングル材の立上げ部に押し付けるようにして当接させた後、コーナーパネルの長辺小口に取付具の第１の取付片をビス等の固定手段で固定し、定規アングル材の立上げ部の外面に取付具の第２の取付片を同様に固定する方法及び取付構造が開示されている。
【先行技術文献】
【特許文献】
【０００６】
【特許文献１】特開平１０−３３８９８１号公報
【特許文献２】特開２００２−３０９７０２号公報
【特許文献３】特開２００１−１６９０７５号公報
【発明の概要】
【発明が解決しようとする課題】
【０００７】
上記の通り、コーナーパネルは、様々な手段によってその取付が行われている。しかしながら、特許文献１に記載の手段による場合には、床スラブ上でのコーナーパネルの正確な位置決めが難しい。又、固定部材と取付金具の固定手段として溶接作業を必須としているため、取付作業の作業効率が悪いという問題がある。
【０００８】
特許文献２に記載の手段によれば、取付作業の作業効率は向上するが、他の壁面との平滑性を備えさせるためのコーナーパネルの正確な位置決めは、尚、困難である。
【０００９】
特許文献３に記載の手段によれば、定規アングル材の採用により、上記のコーナーパネルの正確な位置決めにかかる作業精度は向上するが、多種の金具類の使用が必要となっており、作業性が悪く経済性にも劣るという問題がある。
【００１０】
本発明は、コーナーパネルを用いて形成される隅部を含む壁体を構成する場合において、コーナーパネルの取付けが容易で、且つ、コーナーパネルの水平方向の固定位置について、高い精度で最適位置に固定することができるコーナーパネル取付金具等、上記課題の解決手段を提供することを目的とする。
【課題を解決するための手段】
【００１１】
本発明者らは、上記目的を達成するために鋭意研究を重ねた結果、建築物の躯体にコーナーパネルを取り付けるために用いるコーナーパネル取付金具を、水平プレート部と、コーナーパネルに嵌合可能な立上げプレートと、アンカーの役割を果たす軸部材とからなる独自の形状及び構成を有する取付金具とすることにより、上記課題を解決し得ることを見出し、本発明を完成するに至った。具体的には、本発明は以下のものを提供する。
【００１２】
（１）  コーナーパネル取付金具であって、水平プレート部と、前記水平プレート部に垂直に立設された立上げプレート部と、を備え、前記立上げプレート部は、直角に折曲する折曲げ部を有するコーナーパネル取付金具。
【００１３】
（１）の発明によれば、固定補助手段としてのピンやボルトの使用を最小限に止めつつ、従来方法よりもコストの低い方法によって、コーナーパネルを高い精度で最適位置に正確に配置し、固定することができる。
【００１４】
（２）  前記水平プレート部に軸部材が垂直に立設されている（１）に記載のコーナーパネル取付金具。
【００１５】
（２）の発明によれば、固定補助手段としてのピンを別途用意して使用する必要がないため、（１）のコーナーパネル取付金具によるコーナーパネルの取付作業の作業性が更に向上する。
【００１６】
（３）  前記軸部材の先端部分に突起構造が形成されている（２）に記載のコーナーパネル取付金具。
【００１７】
（３）の発明によれば、コーナーパネルに着接された取付金物の取付作業中におけるコーナーパネルからの離脱を防止できるため、上記取付作業の作業性が更に向上する。
【００１８】
（４）  （１）から（３）のいずれかに記載のコーナーパネル取付金具によって軽量気泡コンクリート製コーナーパネルが躯体に固定されているコーナーパネル取付構造であって、前記立上げプレート部は、該立上げプレート部に隣接する軽量気泡コンクリートパネルの背面部に固定されている定規アングル材に、固定用鋼材プレートを介して固定されているコーナーパネル取付構造。
【００１９】
（４）の発明によれば、軽量気泡コンクリートパネルによって隅部を含む壁体を構成する場合において、上記（１）から（３）のいずれかに記載のコーナーパネル取付金具の立上げプレート部を、当該コーナーパネルに隣接するパネルの背面部に着接している定規アングル材に、固定用鋼材プレートを介して固定されている構造とすることにより、コーナーパネルの最適配置の精度を容易に向上させることができる。これにより、コーナーパネルとその他のパネルの接続部分における壁面の平滑性が十分に向上する。
【００２０】
（５）  （１）から（３）のいずれかに記載のコーナーパネル取付金具を用いて軽量気泡コンクリート製コーナーパネルを建築物の躯体に固定するコーナーパネル取付方法であって、前記立上げプレート部を、前記コーナーパネルに隣接する軽量気泡コンクリートパネルの背面部に固定されている定規アングル材に、前記固定用鋼材プレートを介して、固定するコーナーパネル取付方法。
【００２１】
（５）の発明によれば、（４）と同様の効果を奏することができる。
【発明の効果】
【００２２】
本発明によれば、コーナーパネルを用いて形成される隅部を含む壁体を構成する場合において、コーナーパネルの取付けが容易で、且つ、コーナーパネルの水平方向の固定位置について、高い精度で最適位置に正確に配置し固定することができるコーナーパネル取付金具、コーナーパネル取付構造、及びコーナーパネル取付け方法を提供することができる。
【図面の簡単な説明】
【００２３】
【図１】本発明のコーナーパネル取付金具、コーナーパネル取付構造の一実施形態である、ＡＬＣパネルを用いた壁体の出隅部を前面側から視た斜視図である。
【図２】本発明のコーナーパネル取付金具（出隅部用）の平面図である。
【図３】本発明のコーナーパネル取付金具（出隅部用）の、図２の正面図である。
【図４】本発明のコーナーパネル取付金具を用いたコーナーパネル取付構造（出隅部）の平面図である。
【図５】本発明のコーナーパネル取付金具を用いたコーナーパネル取付構造（出隅部）の正面図である。
【図６】本発明のコーナーパネル取付金具によって躯体に固定されたコーナーパネルを含むＡＬＣパネルによって形成されている壁体の出隅部を裏側から視た斜視図である。
【図７】本発明のコーナーパネル取付構造の一実施形態であるＡＬＣパネルによって形成される壁体の入隅部を前面側から視た斜視図である。
【図８】本発明のコーナーパネル取付金具（入り隅用）の平面図である。
【図９】本発明のコーナーパネル取付金具（入り隅部用）の、図８の正面図である。
【図１０】本発明のコーナーパネル取付金具を用いたコーナーパネル取付構造（入り隅部）の平面図である。
【図１１】本発明のコーナーパネル取付金具を用いたコーナーパネル取付構造（入り隅部）の正面図である。
【発明を実施するための形態】
【００２４】
以下、本発明のコーナーパネル取付金具、コーナーパネル取付構造、及びコーナーパネル取付方法の好ましい一実施形態について説明するが、本発明は、以下の実施形態に限定されるものではない。
【００２５】
＜コーナーパネル取付金具＞
図１は、本発明のコーナーパネル取付構造１００の一実施形態を示す斜視図であり、壁体を構成する一対のＡＬＣパネル２が、コーナーパネル１を介して接続されている出隅部を前面側から視た斜視図である。本発明のコーナーパネル取付金具４は、このコーナーパネル取付構造１００において、コーナーパネル１をスラブ３等の躯体に固定する取付金具である。尚、本明細書における各パネルやそれらを接合してなる壁体の「前面側」とは、建築物の外壁側となる側のことを言うものとする。一方、建築物の内壁側となる側のことを「背面側」と言うものとする。
【００２６】
又、コーナーパネル取付金具４は、図１に示す壁体の出隅部において、或いは、図７に示す壁体の入隅部において用いることより、コーナーパネルを固定するための固定補助手段としてのピンやボルト等部材の使用を最小限に止めつつ、コーナーパネル１を高い精度で正確な位置に配置後、容易にスラブ３に固定することができるものである。以下、まずは、図１に示す出隅部における好ましい実施形態として、出隅用のコーナーパネル取付金具４（出隅用コーナーパネル取付金具４）を代表的な実施例として、その詳細を説明する。
【００２７】
図２は、本発明のコーナーパネル取付金具の一実施形態であるコーナーパネル取付金具４の平面図であり、図３は、同正面図である。コーナーパネル取付金具４は、水平プレート部４１と水平プレート部４１に垂直に立設された立上げプレート部４２と、を備え、立上げプレート部４２は、水平方向において直角に折曲する折曲げ部４２１を有する。立上げプレート部４２が直角に折曲する折曲げ部４２１を有することにより、コーナーパネル取付金具４は、コーナーパネル１の背面部の直角形状と嵌合することができる。
【００２８】
コーナーパネル取付金具４は、更に、水平プレート部４１上に、軸部材４３が垂直に立設されているものであることが好ましい。軸部材４３はコーナーパネル１の底面側の小口面に形成されるアンカー穴に挿入されることにより、コーナーパネル１の水平方向における位置を適切な位置に規定するものである。尚、軸部材４３は、必ずしもコーナーパネル取付金具４の一部として一体化していることが必須ではない。軸部材４３と水平プレート部４１を分離した金物形状としてもよい。分離することにより、コーナーパネル取付金具４を、よりコーナーパネル１に密着させることができ、コーナーパネル取付金具４の微細ながたつきを防ぐことができる。
【００２９】
又、図３に示す通り、軸部材４３は、その先端部分に突起構造４３１が形成されているものであることが更に好ましい。上記のアンカー穴のサイズに合わせて、同穴と嵌合可能なサイズの突起構造４３１を軸部材４３先端部へ形成することにより、コーナーパネル１の取付作業中において、予めコーナーパネル１に取り付けたコーナーパネル取付金具４が、コーナーパネル１から離脱することによる作業性の低下を阻止することができる。突起構造４３１は、軸部材４３の先端部分を上記形状に加工することによって形成してもよく、或いは、ゴムキャップ等の別部材を装着することによって形成してもよい。
【００３０】
以上説明したコーナーパネル取付金具４は出隅部における使用を想定したものであるが、本発明は、図７に示すような壁体の入隅部においても同様の効果を奏するコーナーパネル取付構造１００Ａとして実施できる。その際には、図８及び図９に示す形状からなるコーナーパネル取付金具４Ａ（入隅用コーナーパネル取付金具４Ａ）を用いることができる。コーナーパネル取付金具４Ａは、上述の出隅用コーナーパネル取付金具４と同様に、水平プレート部４１Ａと、水平プレート部４１Ａに垂直に立設された立上げプレート部４２Ａと、を備え、立上げプレート部４２Ａは、水平方向において直角に折曲している折曲げ部４２１Ａを有する。折曲げ部４２１Ａは、入隅部におけるコーナーパネル１の背面部に嵌合可能な形状となっている点も、コーナーパネル取付金具４と同様の構成である。
【００３１】
＜コーナーパネル取付構造＞
本発明のコーナーパネル取付構造１００（１００Ａ）は、本発明のコーナーパネル取付金具４（４Ａ）によって、コーナーパネル１が、スラブ３等の建造物の躯体に、固定用鋼材プレート５等の他部材を介して固定されている構造であり、建築物の壁体の隅部を構成する構造である。
【００３２】
図４〜６に示す通り、コーナーパネル取付構造１００において、コーナーパネル取付金具４は、その立上げプレート部４２が、当該コーナーパネル１に隣接するＡＬＣパネル２の背面側の固定部剤である定規アングル材６に、固定用鋼材プレート５を介して固定されている。立上げプレート部４２、固定用鋼材プレート５、及び、定規アングル材６の固定は、溶接により行われることが好ましい。これにより、コーナーパネル１は、建造物の躯体であるスラブ３に強固に固定される。
【００３３】
又、図４及び図５に示す通り、コーナーパネル取付構造１００においては、コーナーパネル１とコーナーパネル取付金具４とは、コーナーパネル１の短辺小口面に形成されたアンカー用のたて穴（図示せず）に、コーナーパネル取付金具４の軸部材４３が挿入された状態で一体化されている。
【００３４】
又、壁体の入隅部においても、図１０及び図１１に示す通り、コーナーパネル取付構造１００Ａを、コーナーパネル取付金具４Ａを用いて実施することができる。この場合も、出隅部におけるコーナーパネル取付構造１００における実施形態と同様に、コーナーパネル取付金具４Ａは、その立上げプレート部４２Ａが、当該コーナーパネル１に隣接するＡＬＣパネル２の背面側の固定部剤である定規アングル材６に、固定用鋼材プレート５を介して、固定されている。
【００３５】
＜コーナーパネル取付方法＞
次に、本発明のコーナーパネルの取付方法について説明する。
【００３６】
上記において説明した構成、形状からなるコーナーパネル取付金具４（４Ａ）、及び、コーナーパネル１を、上記において説明した態様において一体化した後、コーナーパネル取付金具４（４Ａ）付きのコーナーパネル１を、スラブ３上の所定の位置に配置する。
【００３７】
上記配置の際には、ＡＬＣパネル２の背面とコーナーパネル１の背面とを、同一水平面上に配置する。そして、このように配置された状態において、コーナーパネル取付金具４（４Ａ）の立上げプレート部４２（４２Ａ）と、コーナーパネル１に隣接するＡＬＣパネル２の背面側の定規アングル材６とを、固定用鋼材プレート５を介して溶接により接合する。このような手順によってコーナーパネル１を配置し、固定する方法とすることにより、コーナーパネル１の配置及び固定時の施工性と施工精度が大きく向上する。
【００３８】
以上より、本発明によれば、軽量気泡コンクリート製コーナーパネルに代表されるコーナーパネルを含む構造により建築物の壁体を構成する場合において、コストを抑えつつ、且つ、施工者の技量に依存する事無く、壁体の出隅部及び入隅部の平滑性を高い精度で保持できることが分かる。
【符号の説明】
【００３９】
１                  コーナーパネル
２                  軽量気泡コンクリート（ＡＬＣ）パネル
３                  スラブ
４、４Ａ            コーナーパネル取付金具
４１、４１Ａ        水平プレート部
４２、４２Ａ        立上げプレート部
４２１、４２１Ａ    折曲げ部
４３、４３Ａ        軸部材
４３１、４３１Ａ    突起構造
５                  固定用鋼材プレート
６                  定規アングル材
１００、１００Ａ    コーナーパネル取付構造１００
【図１】
2015017364.tif 000003
【図２】
2015017364.tif 000004
【図３】
2015017364.tif 000005
【図４】
2015017364.tif 000006
【図５】
2015017364.tif 000007
【図６】
2015017364.tif 000008
【図７】
2015017364.tif 000009
【図８】
2015017364.tif 000010
【図９】
2015017364.tif 000011
【図１０】
2015017364.tif 000012
【図１１】
2015017364.tif 000013